(57)【要約】【課題】  コンクリート製造および生コンクリート製造等に伴って排出されるコンクリートスラッジ水の強アルカリ性を利用し、これを酸性排水の中和剤として有効利用した酸性排水の中和処理方法を提供することにある。【解決手段】  鉱山排水や工場排水等の酸性排水３に、コンクリート製品工場や生コンクリートミキサー車の洗浄等に伴って排出されるコンクリートスラッジ水１又はその脱水ケーキ２を投入することを特徴とする。【選択図】  図１
2005246125.tif 000002
【特許請求の範囲】
【請求項１】
鉱山排水や工場排水等の酸性排水に、コンクリート製品工場や生コンクリートミキサー車の洗浄等に伴って排出されるコンクリートスラッジ水又はその脱水ケーキを投入することを特徴とする酸性排水の中和処理方法。
【請求項２】
Ｃａ化合物及び／又はＭｇ化合物を併用することを特徴とする請求項１記載の酸性排水の中和処理方法。
【請求項３】
前記中和処理に際し第一鉄塩を還元剤として添加することを特徴とする請求項１又は２記載の酸性排水の中和処理方法。
【発明の詳細な説明】
【技術分野】
【０００１】
本発明は酸性排水の中和処理方法に関し、詳しくは、鉱山排水や工場などから排出され
る酸性排水を、産業廃棄物であるコンクリートスラッジ水により中和する酸性排水の中和
処理方法に関する。
【背景技術】
【０００２】
鉱山排水や工場などから排出される産業排水は酸性であるとゝもに、生態系に対して有
害な重金属が含まれていることが多い。このような鉱山排水や産業廃液をそのまま河川や
海などに排出すると環境汚染をもたらすため、従来は、水酸化カルシウム塩や炭酸カルシ
ウム塩などの中和剤を用いて中和したのちに放流する方法が主として行われてていた。し
かし、このような処理方法においては、間断なく流下する鉱山排水や工場排水にあっては
中和剤の使用量が膨大となり、比較的安価な炭酸カルシウム塩を使用する場合でも経費が
嵩むといった問題点がある。
【０００３】
一方、コンクリート製品工場や生コンクリート製造工場からは産業廃棄物であるコンク
リートスラッジ水が多量に発生する。そこで、このコンクリートスラッジ水を有効利用す
るため、従来はコンクリートスラッジ水の発生直後にフィルタープレス機等の脱水機で脱
水した後、この脱水ケーキを乾燥と粉砕工程を経て粉粒体を形成し、これを土木工事現場
で軟弱地盤の泥土に混入したりする再利用方法や、前記脱水処理で発生するスラッジ水は
セメントの練り水や設備の洗浄水として循環再利用することが行われている。
【０００４】
しかし、上記のような再利用だけでは、大量に発生するコンクリートスラッジ水との関
係で処分量としては不十分であり、大半は自然乾燥や脱水処理などにより含水率を下げ、
その後に管理型産業廃棄物として埋め立て処理されている。このように、コンクリートス
ラッジ水を脱水することによりその減量化を図ることはできるが、廃棄処分をすることに
変わりはない。したがって、処理費用の準備や処分地の確保という問題が残されていると
ゝもに、上記のような従来の再利用以外にコンクリートスラッジ水を大量に使用できる技
術の開発が待たれていた。
【発明の開示】
【発明が解決しようとする課題】
【０００５】
本発明は、上記のような従来の問題に鑑みてなされたもので、コンクリート製造および
生コンクリート製造等に伴って排出されるコンクリートスラッジ水の強アルカリ性を利用
し、これを酸性排水の中和剤として有効利用した酸性排水の中和処理方法を提供すること
を目的としたものである。
【課題を解決するための手段】
【０００６】
上記の目的を達成するため、本願の請求項１に係る発明は、鉱山排水や工場排水等の酸
性排水に、コンクリート製品工場や生コンクリートミキサー車の洗浄等に伴って排出され
るコンクリートスラッジ水又はその脱水ケーキを投入することを特徴とする酸性排水の中
和処理方法である。
【０００７】
また、上記の目的を達成するため、本願の請求項２に係る発明は、Ｃａ化合物及び／又
はＭｇ化合物を併用することを特徴とする酸性排水の中和処理方法であり、更に、本願の
請求項３に係る発明は、前記中和処理に際し第一鉄塩を還元剤として添加することを特徴
とする酸性排水の中和処理方法である。
【発明の効果】
【０００８】
本願の請求項１に係る発明によれば、コンクリート製品工場や生コンクリートミキサー
車の洗浄に伴って排出される産業廃棄物であるコンクリートスラッジ水を鉱山排水や工場
などから発生する酸性排水の中和剤として有効利用できる。したがって、産業廃棄物の減
量化を図ることができるとゝもに、処理費用や処分地の確保という問題が解決される。
【０００９】
また、本願の請求項２に係る発明によれば、Ｃａ化合物及び／又はＭｇ化合物を併用す
ることにより、酸性排水のＰＨ値が２未満の場合でも、少量のＣａ化合物，Ｍｇ化合物を
添加することで廉価に且つ確実に酸性排水の中和処理を行うことが出来る。
【００１０】
更に、本願の請求項３に係る発明によれば、中和処理に際して第一鉄塩を還元剤として
添加することによって、コンクリートスラッジ水や酸性排水に含まれている有害な６価ク
ロムが３価クロムに還元されて無害となり、自然環境や河川の水質を汚染するといった二
次汚染が発生することがない。
【発明を実施するための最良の形態】
【００１１】
以下、本発明方法を図１に示すブロック図を参照して詳細に説明する。コンクリート製
造及び生コンクリート製造などに伴って排出されるコンクリートスラッジ水１はセメント
と微粒の砂を含む懸濁水であり、セメントに含まれる酸化カルシウム溶出の影響から強ア
ルカリ性（例えば、ＰＨ１２．１〜１２．８）を呈する溶液である。本発明では、このコ
ンクリートスラッジ水１をそのままの状態で、鉱山排水や工場などから排出される産業排
水（酸性排水）３に投入し、撹拌混合する。
【００１２】
ここで、前記コンクリートスラッジ水１はそのままの状態では現場までの搬送などにお
いて制約があり、取扱が容易でない場合もある。したがって、酸性排水の処理現場が遠隔
地にあるような場合には、コンクリートスラッジ水１の発生直後にフィルタープレス機等
の脱水機で脱水した後これを固化させた脱水ケーキ２とし、これを鉱山排水や工場排水等
の処理現場まで運搬し、酸性排水３に投入するのが簡便である。
【００１３】
上記のように、コンクリートスラッジ水１をそのまま又はその脱水ケーキ２を投入する
ことで酸性排水３は中和されるが、鉱山排水や工場排水の酸性度が強く、コンクリートス
ラッジ水１だけでは中和処理できない場合もある。この様な場合には、コンクリートスラ
ッジ水１と併用して少量の消石灰，炭酸カルシウムなどのＣａ化合物４Ａや水酸化マグネ
シウム，炭酸マグネシウムなどのＭｇ化合物４Ｂを添加することで、廉価に且つ確実に酸
性排水の中和処理を行うことが出来る。
【００１４】
しかし、コンクリートスラッジ水１や酸性排水には有毒物質である６価クロムが含まれ
ている場合もある。このような場合には中和処理した溶液に６価クロムがそのまま残留す
ることになり、二次汚染が発生することになるので、本発明では、中和処理に際して硫酸
第一鉄などの第一鉄塩５を還元剤として添加する。これにより、コンクリートスラッジ水
１や酸性排水３に含まれている有害な６価クロムが３価クロムに還元されて無害となり、
自然環境や河川の水質を汚染することがない。
【００１５】
本発明は上記のような構成であるから、コンクリート製造業，生コンクリート製造業で
は産業廃棄物の発生が減少する。また、鉱山や工場では発生する鉱山排水や工場排水を処
理するための中和剤の使用経費が大幅に削減されるとゝもに、河川への放流により環境を
破壊することもない。
【図面の簡単な説明】
【００１６】
【図１】本発明に係る酸性排水の中和処理方法を示すブロック図である。
【符号の説明】
【００１７】
１  コンクリートスラッジ水
２  脱水ケーキ
３  酸性排水
４Ａ  Ｃａ化合物
４Ｂ  Ｍｇ化合物
５  第一鉄塩
【図１】
2005246125.tif 000003